(57)【特許請求の範囲】
【請求項１】
発光管で構成され、ランプリード線を有する発光部と、
前記発光部が固定されるプレートと、
前記プレートに固定されるとともに、基板に電子部品が実装され、前記発光部を点灯させるインバータ部と、
前記インバータ部を収納し、前記プレートに嵌合するハウジングと、
前記基板の前記ハウジング側に実装される前記電子部品のうちの少なくとも一つの電子部品と、前記ハウジングとを接着固定する接着剤と、を備え、
前記インバータ部の前記基板は、前記プレートに固定され、
前記プレートと前記ハウジングとは、嵌合の他に、前記接着剤により前記ハウジングに固定される前記一つの電子部品が前記基板に固定されることにより、固定されることを特徴とする電球形蛍光ランプ。
【請求項２】
発光管で構成され、ランプリード線を有する発光部と、
前記発光部が固定されるプレートと、
電子部品が実装され、前記発光部を点灯させるインバータ部を構成する基板と、
前記インバータ部を収納し、前記プレートに嵌合するハウジングと、
前記基板の前記ハウジング側に実装される前記電子部品のうちの少なくとも一つの電子部品と、前記ハウジングとを接着固定する接着剤と、を備え、
前記プレートと前記ハウジングとは嵌合により固定されるとともに、前記基板と前記プレートとは嵌合により固定され、
前記プレートと前記ハウジングとの固定、および、前記基板と前記プレートとの固定は、
前記嵌合と、前記接着剤による前記基板の前記一つの電子部品と前記ハウジングとの接着固定とにより、固定されたことを特徴とする電球形蛍光ランプ。
【請求項３】
前記一つの電子部品は、リード線を有する挿入型部品であり、前記基板に設けられた穴にリード線が貫通して該基板の半田面に引き出され、前記半田面に半田付けされることにより、前記基板に固定されることを特徴とする請求項１又は２記載の電球形蛍光ランプ。
【請求項４】
前記一つの電子部品は３本以上の前記リード線を有し、前記基板に設けられた３つ以上の前記穴に、前記リード線が貫通することを特徴とする請求項３記載の電球形蛍光ランプ。
【請求項５】
前記基板は、前記プレートに嵌合並びに前記ランプリード線が前記基板のピンに巻き付けられるラッピングにより固定されることを特徴とする請求項１乃至４のいずれかに記載の電球形蛍光ランプ。
【請求項６】
前記一つの電子部品が、前記ハウジングに近接して配置されることを特徴とする請求項１乃至５のいずれかに記載の電球形蛍光ランプ。
【請求項７】
前記一つの電子部品は、チョークコイルであることを特徴とする請求項１乃至６のいずれかに記載の電球形蛍光ランプ。
【請求項８】
前記ハウジングは、前記インバータ部を収納する、前記プレート側端部に向かって徐々に径が大きくなるテーパ形状のインバータ部収納部を備え、
前記インバータ部収納部の前記プレート側端部の反対側に段差部が形成され、
前記テーパ形状と前記段差部とで形成される空間に、前記接着剤により前記ハウジングに接着固定される前記一つの電子部品を収納することを特徴とする請求項１乃至７のいずれかに記載の電球形蛍光ランプ。
【請求項９】
前記一つの電子部品に、その他の電子部品を近接して配置することを特徴とする請求項１乃至８のいずれかに記載の電球形蛍光ランプ。
【請求項１０】
前記一つの電子部品に、その他の電子部品を５ｍｍ以内に近接して配置することを特徴とする請求項９記載の電球形蛍光ランプ。
【請求項１１】
請求項１乃至１０のいずれかに記載の電球形蛍光ランプと、この電球形蛍光ランプが装着される照明器具と、を備えたことを特徴とする照明装置。
【発明の詳細な説明】
【技術分野】
【０００１】
この発明は、発光管を固定するプレートと、内部に電子部品が収納されるとともに口金が装着されるハウジングとを有し、基板に実装される電子部品の温度上昇を抑制し、且つプレートとハウジングとの固定強度に優れた電球形蛍光ランプに関する。また、この電球形蛍光ランプ用の照明装置に関する。
【背景技術】
【０００２】
従来、ハウジングと、ハウジングに収納された点灯回路と、ハウジングの一端側に取り付けられた口金と、ハウジングの他端側に取り付けられ、長手方向の中央部より点灯回路から離間する側に電極部が配置された発光管と、を具備する電球形蛍光ランプにおいて、点灯回路に接続した入力線をハウジングの内側を通した状態で、プレートをハウジングの開口から圧入し、ハウジング嵌合部を係合部に係合などして、プレートをハウジングに固定する電球形蛍光ランプが提案されている（例えば、特許文献１参照）。
【０００３】
また、従来の別の電球形蛍光ランプは、スパイラル形状の発光管（発光部）及び点灯回路が装着された金属製のプレートと、白熱電球用のソケットにねじ込み可能な電源入力端である口金が設けられた樹脂製のハウジングと、発光管を覆うガラス製のグローブとを有する。グローブは、その外環部分がプレートに固定保持されている。ハウジングも同様にその外環部分がプレートに固定保持されている。プレートには係合部が設けられており、ハウジングには爪が設けられている。プレートとハウジングとは、係合部と爪とが係合することで固定されている（例えば、特許文献２参照）。
【先行技術文献】
【特許文献】
【０００４】
【特許文献１】特開２０００−３１５４０２号公報
【特許文献２】特開２００８−２８８１３０号公報
【発明の概要】
【発明が解決しようとする課題】
【０００５】
しかしながら、上記特許文献１、２に記載された電球形蛍光ランプは、プレートとハウジングとが、係合部と爪とが係合することで固定されているだけであるので、プレート及びハウジングの寸法のバラツキにより、係合部と爪との係合が不十分で、プレートからハウジングが外れる場合があるという課題があった。
【０００６】
この発明は、上記のような課題を解決するためになされたもので、基板に実装される電子部品の温度上昇を抑制するとともに、プレートとハウジングとの固定強度が優れた電球形蛍光ランプ及びその電球形蛍光ランプ用の照明装置を提供する。
【課題を解決するための手段】
【０００７】
この発明に係る電球形蛍光ランプは、
発光管で構成され、ランプリード線を有する発光部と、
発光部が固定されるプレートと、
プレートに固定されるとともに、基板に電子部品が実装され、発光部を点灯させるインバータ部と、
インバータ部を収納し、プレートに嵌合するハウジングと、
基板のハウジング側に実装される電子部品のうちの少なくとも一つの電子部品と、ハウジングとを接着固定する接着剤と、を備え、
インバータ部の基板は、プレートに固定され、
プレートとハウジングとは、嵌合の他に、接着剤によりハウジングに固定される一つの電子部品が基板に固定されることにより、固定されることを特徴とする。
【０００８】
この発明に係る電球形蛍光ランプは、一つの電子部品が、リード線を有する挿入型部品であり、基板に設けられた穴にリード線が貫通して基板の半田面に引き出され、半田面に半田付けされることにより、基板に固定されることを特徴とする。
【０００９】
この発明に係る電球形蛍光ランプは、一つの電子部品が３本以上のリード線を有し、基板に設けられた３つ以上の穴に、リード線が貫通することを特徴とする。
【００１０】
この発明に係る電球形蛍光ランプは、基板が、プレートに嵌合並びにランプリード線が基板のピンに巻き付けられるラッピングにより固定されることを特徴とする。
【００１１】
この発明に係る電球形蛍光ランプは、一つの電子部品が、ハウジングに近接して配置されることを特徴とする請求項１乃至４のいずれかに記載の電球形蛍光ランプ。
【００１２】
この発明に係る電球形蛍光ランプは、一つの電子部品が、チョークコイルであることを特徴とする。
【００１３】
この発明に係る電球形蛍光ランプは、ハウジングが、インバータ部を収納する、プレート側端部に向かって徐々に径が大きくなるテーパ形状のインバータ部収納部を備え、
インバータ部収納部のプレート側端部の反対側に段差部が形成され、
テーパ形状と段差部とで形成される空間に、接着剤によりハウジングに接着固定される一つの電子部品を収納することを特徴とする。
【００１４】
この発明に係る電球形蛍光ランプは、一つの電子部品に、その他の電子部品を近接して配置することを特徴とする。
【００１５】
この発明に係る電球形蛍光ランプは、一つの電子部品に、その他の電子部品を５ｍｍ以内に近接して配置することを特徴とする。
【００１６】
この発明に係る照明装置は、請求項１乃至９のいずれかに記載の電球形蛍光ランプと、この電球形蛍光ランプが装着される照明器具と、を備えたことを特徴とする。
【発明の効果】
【００１７】
この発明に係る電球形蛍光ランプは、プレートとハウジングとは、嵌合の他に、接着剤によりハウジングに固定される一つの電子部品が基板に固定されることにより、固定されるものであるので、嵌合が不十分な場合でも、プレートからハウジングが外れる恐れが少ない。
【００１８】
この発明に係る電球形蛍光ランプは、一つの電子部品がリード線を有する挿入型部品であり、基板に設けられた穴にリード線が貫通して基板の半田面に引き出され、半田面に半田付けされることにより基板に固定されるので、面実装の部品に比べて電子部品と基板がより強固に固定されることにより、ハウジングとプレートがより強固に固定される。
【００１９】
この発明に係る電球形蛍光ランプは、一つの電子部品が３本以上のリード線を有し、基板に設けられた３つ以上の穴に、リード線が貫通するので、面実装の部品に比べて基板を貫通した３本以上のリード線が基板に半田付けされ、電子部品と基板が、３本以上のリード線を有する部品により強固に固定されることにより、ハウジングとプレートがより強固に固定される。
【００２０】
この発明に係る電球形蛍光ランプは、基板が、プレートに嵌合並びにランプリード線が基板のピンに巻き付けられるラッピングにより固定されるので、基板がプレートにより強固に固定される。
【００２１】
この発明に係る電球形蛍光ランプは、一つの電子部品が、ハウジングに近接して配置されるので、前記一つの電子部品の温度上昇を抑制できる。
【００２２】
この発明に係る電球形蛍光ランプは、チョークコイルをハウジングに近接して配置するので、チョークコイルの温度上昇を抑制できる。
【００２３】
この発明に係る電球形蛍光ランプは、ハウジングが、インバータ部を収納する、プレート側端部に向かって徐々に径が大きくなるテーパ形状のインバータ部収納部を備え、インバータ部収納部のプレート側端部の反対側に段差部が形成され、テーパ形状と段差部とで形成される空間に、接着剤によりハウジングに接着固定される一つの電子部品を収納するので、接着剤の使用量を少なくすることができる。
【００２４】
この発明に係る電球形蛍光ランプは、一つの電子部品に、その他の電子部品を近接して配置するので、その他の電子部品の温度上昇を抑制できる。
【００２５】
この発明に係る電球形蛍光ランプは、一つの電子部品に、その他の電子部品を５ｍｍ以内に近接して配置するので、確実にその他の電子部品の温度上昇を抑制できる。
【００２６】
この発明に係る照明装置は、前記電球形蛍光ランプと、この電球形蛍光ランプが装着される照明器具と、を備えたことにより、ランプの寿命が長くなりランプ交換の手間を省ける。
【図面の簡単な説明】
【００２７】
【図１】実施の形態１を示す図で、電球形蛍光ランプ１００を示す正面図。
【図２】図１のＡ−Ａ断面図。
【図３】実施の形態１を示す図で、発光部１０を示す図（（ａ）は正面図、（ｂ）はプレート２０側から見た図）。
【図４】実施の形態１を示す図で、プレート２０の斜視図。
【図５】実施の形態１を示す図で、プレート２０の平面図（ハウジング３０側から見る）。
【図６】実施の形態１を示す図で、プレート２０の側面図。
【図７】実施の形態１を示す図で、ハウジング３０の正面図。
【図８】実施の形態１を示す図で、ハウジング３０の側面図（プレート２０側）。
【図９】実施の形態１を示す図で、ハウジング３０の側面図（口金４０側）。
【図１０】図９のＢ−Ｂ断面図。
【図１１】図９のＡ−Ａ断面図。
【図１２】図９のＣ−Ｃ断面図。
【図１３】実施の形態１を示す図で、発光部１０をプレート２０に固定した状態を示す正面図。
【図１４】実施の形態１を示す図で、発光部１０をプレート２０に固定した状態を示す平面図（ハウジング３０側から見る）。
【図１５】実施の形態１を示す図で、インバータ部５０の平面図（ハウジング３０側から見る）。
【図１６】実施の形態１を示す図で、インバータ部５０の平面図（プレート２０側から見る）。
【図１７】実施の形態１を示す図で、インバータ部５０の側面図。
【図１８】実施の形態１を示す図で、発光部１０が固定されたプレート２０にインバータ部５０を取り付けた状態を示す縦断面図。
【図１９】実施の形態１を示す図で、発光部１０が固定されたプレート２０にインバータ部５０を取り付けた状態を示す平面図（インバータ部５０を見る）。
【図２０】実施の形態１を示す図で、図１８にハウジング３０を取り付けた状態を示す縦断面図。
【図２１】図２０のＢ部拡大図。
【図２２】実施の形態１を示す図で、照明装置２００の構成図。
【発明を実施するための形態】
【００２８】
実施の形態１．
（概要）
本実施の形態の電球形蛍光ランプは、複数のＵ字形の発光管を接合した発光部と、発光部を高周波点灯させるインバータ回路とを一体化し、電球と同じ口金を取り付けた蛍光ランプである。
【００２９】
そして、インバータ回路を構成する少なくとも一つの電子部品をハウジングに近接して配置し、且つハウジングと前記一つの電子部品を熱伝導性に優れた接着剤（例えば、シリコン等）で結合して、前記一つの電子部品の温度上昇を抑制する点が一つの特徴である。
【００３０】
また、複数のＵ字形の発光管を接合した発光部を固定するとともに、インバータ回路の基板を固定するプレートと、インバータ回路を内蔵するハウジングとは、嵌合による固定の他に、ハウジング→接着剤→前記一つの電子部品→基板→プレートのルートにより固定されることを他の特徴とする。
【００３１】
さらに、基板に配置される耐熱性裕度の少ない面実装の電子部品（例えば、スイッチング素子）の温度上昇を抑制するために、基板を間にしてハウジングと熱伝導性に優れた接着剤で固定された前記一つの電子部品と対向するように、前記耐熱性裕度の少ない面実装の電子部品を実装する点が他の特徴である。
【００３２】
以下、図面を参照しながら、本実施の形態の電球形蛍光ランプについて説明する。図１、図２は実施の形態１を示す図で、図１は電球形蛍光ランプ１００を示す正面図、図２は図１のＡ−Ａ断面図である。
【００３３】
電球形蛍光ランプ１００は、少なくとも以下に示す要素を備える。
（１）３個のＵ字形の発光管を接合した発光部１０；
（２）発光部１０を固定するとともに（接着剤（シリコン等）による）、インバータ部５０（図２参照）を固定するプレート２０（固定方法については後述する）；
（３）インバータ部５０を収納し、白熱電球と同じ口金４０が取り付けられ、プレート２０に嵌合するハウジング３０；
（４）ハウジング３０のプレート２０と反対側の端部に取り付けられる口金４０；
（５）プレート２０に基板（後述する）が固定され、ハウジング３０内部に収納されるインバータ部５０；
（６）インバータ部５０の一つの電子部品（後述する）をハウジング３０に近接して配置し、さらにハウジング３０と前記一つの電子部品との間に施される熱伝導性の良い接着剤６０（例えば、シリコン、図２参照）。
【００３４】
本実施の形態は、ハウジング３０、インバータ部５０並びにプレート２０の構成に特徴がある。従って、これらについて詳述する。発光部１０、口金４０については、簡単に触れる。
【００３５】
図３は実施の形態１を示す図で、発光部１０を示す図（（ａ）は正面図、（ｂ）はプレート２０側から見た図）である。発光部１０は、３個のＵ字管１０ａ（発光管）を接合部１０ｂ（二箇所）で接合して、一つの放電路を形成する。放電路の両端部に、電極等を有するステム（図示せず）が取り付けられ、放電路の両端部から夫々二本のランプリード線１０ｃが外部に引き出されている。ランプリード線１０ｃは、合計四本である。３個のＵ字管１０ａは、接着剤１０ｄでＵ字管１０ａの股部付近で接着されている。
【００３６】
図４乃至図６は実施の形態１を示す図で、図４はプレート２０の斜視図、図５はプレート２０の平面図（ハウジング３０側から見る）、図６はプレート２０の側面図である。
【００３７】
図４乃至図６を参照しながら、プレート２０について説明する。プレート２０は、全体形状が略円形の皿状である。一面（ハウジング３０側）が開口している。また、発光部１０側は、Ｕ字管１０ａを挿入する円形の穴部２０ａが６個開けられている。プレート２０の材料は、例えば、ＰＥＴ（ポリエチレンテレフタレート樹脂）である。
【００３８】
また、プレート２０のハウジング３０側の内周に、内側に突出し軸方向に延びる突出部２０ｂが、周方向に略等間隔に形成されている。これらの突出部２０ｂには、インバータ部５０の基板（後述する）を載置する基板載置面２０ｂ−１が形成されている。突出部２０ｂのハウジング３０側端部から所定の長さ内側に入った部位に、段差部が設けられ、この段差部が基板載置面２０ｂ−１になっている。
【００３９】
また、突出部２０ｂの発光部１０側端部（穴部２０ａが６個開けられている面のハウジング３０側の面）には、径方向に延びるリブ２０ｄが放射状に６個形成されている。後述するように、発光部１０はプレート２０の円形の穴部２０ａに挿入後、接着剤（シリコン等）により、固定される。その際、プレート２０の穴部２０ａが６個開けられている面のハウジング３０側の面にリブ２０ｄを設けることにより、プレート２０の接着剤が載る面積が増加し、発光部１０を保持する保持力（接着強度）が向上する。
【００４０】
また、プレート２０のハウジング３０側端部の内周に、インバータ部５０の基板（後述する）をプレート２０に取り付ける際に、基板を押える一つのプレート内周凸部２０ｄ−１が形成されている。また、その際、プレート２０の６個の突出部２０ｂは、基板の外周に形成された切り欠きと嵌合する。
【００４１】
後述するが、インバータ部５０の基板とプレート２０とは、上記以外に、発光部１０の４本のランプリード線１０ｃが基板に設けられるピン（例えば、錫メッキ銅）に巻き付けられることにより固定される（これを、ラッピングという）。
【００４２】
また、プレート２０のハウジング３０側端部に、後述するハウジング３０の位置決め用リブ３０ｃ（例えば、図１１参照）が挿入される位置決め用溝２０ｅが、略１８０°間隔で形成されている。
【００４３】
さらに、プレート２０のハウジング３０側端部の近傍に、後述するハウジング３０の凸部３０ｄ（例えば、図１１参照）が係合する係合穴２０ｃが、周方向に略等間隔に４個形成されている。
【００４４】
図７乃至図１２は実施の形態１を示す図で、図７はハウジング３０の正面図、図８はハウジング３０の側面図（プレート２０側）、図９はハウジング３０の側面図（口金４０側）、図１０は図９のＢ−Ｂ断面図、図１１は図９のＡ−Ａ断面図、図１２は図９のＣ−Ｃ断面図である。
【００４５】
図７乃至図１２を参照しながら、ハウジング３０について説明する。ハウジング３０は、インバータ部５０を収納するインバータ部収納部３０ａと、口金４０が嵌合する口金嵌合部３０ｂとからなる。インバータ部収納部３０ａは、断面が略円形で、口金嵌合部３０ｂからプレート２０側端部に向かって徐々に径が大きくなる形状（テーパ部３０ｆ）である。また、口金嵌合部３０ｂとテーパ部３０ｆとの境は、段差部３０ｅになっている。ハウジング３０の材料は、例えば、ＰＢＴ（ポリブチレンテレフタレート樹脂）である。
【００４６】
ハウジング３０は、プレート２０側端部の内周に、位置決め用リブ３０ｃを２個備える（例えば、図８、図１１）。２個の位置決め用リブ３０ｃは、略１８０°間隔で配置されている。ハウジング３０をプレート２０に嵌める際に、位置決め用リブ３０ｃはプレート２０の位置決め用溝２０ｅに挿入され、ハウジング３０の周方向の位置決めがなされる。
【００４７】
図１１に示すように、位置決め用リブ３０ｃには、プレート２０側端部が略Ｌ字状に切り欠かれ、位置決め用リブ段差部３０ｃ−１が形成されている。ハウジング３０をプレート２０に嵌める際に、プレート２０のハウジング３０側端部がこの位置決め用リブ段差部３０ｃ−１に当接する。
【００４８】
また、ハウジング３０は、インバータ部収納部３０ａのプレート２０側端部の近傍の内周に、ハウジング３０をプレート２０に嵌める際に、プレート２０の４個の係合穴２０ｃに係合する凸部３０ｄ（例えば、図１１参照）が、内側に突出するように形成されている。凸部３０ｄは、プレート２０の４個の係合穴２０ｃと同様に、周方向に略等間隔に４個形成されている。
【００４９】
図１３、図１４は実施の形態１を示す図で、図１３は発光部１０をプレート２０に固定した状態を示す正面図、図１４は発光部１０をプレート２０に固定した状態を示す平面図（ハウジング３０側から見る）である。
【００５０】
発光部１０は、夫々のＵ字管１０ａの股部の反対側の端部がプレート２０の穴部２０ａに挿入される。そして、図１４に示すように、接着剤２１（図１４においてハッチングで示す、シリコン等）により、発光部１０がプレート２０に固定される。
【００５１】
このとき、プレート２０の穴部２０ａが６個開けられている面のハウジング３０側の面にリブ２０ｄが設けられているので、プレート２０の接着剤２１が載る面積が増加し、発光部１０を保持する保持力（接着強度）が向上する。
【００５２】
図１５乃至図１７は実施の形態１を示す図で、図１５はインバータ部５０の平面図（ハウジング３０側から見る）、図１６はインバータ部５０の平面図（プレート２０側から見る）、図１７はインバータ部５０の側面図である。
【００５３】
図１５乃至図１７を参照しながらインバータ部５０について説明する。インバータ部５０は、基板５１（片面基板）の部品面（図１７の半田面の反対側の面）に、電子部品５３（一つの電子部品、例えば、チョークコイル等）やその他の電子部品５６が配置される。基板５１（片面基板）の部品面に配置される電子部品５３，５６は、それらのリード線が基板５１を貫通して半田面でパターン（図示せず）に半田付けされる。電子部品５３，５６のような電子部品を、挿入形部品もしくはラジアル部品と呼ばれる。
【００５４】
本実施の形態は、後述するが、電子部品５３（例えば、チョークコイル等）の温度上昇を抑制する点が一つの特徴である。
【００５５】
そして、ハウジング３０への熱伝導により冷却される電子部品５３に、その他の電子部品５６を近接して配置する。例えば、電子部品５３の周囲の５ｍｍ以内に、その他の電子部品５６を近接して配置するのが好ましい。そのように構成することにより、その他の電子部品５６の温度上昇も抑制することができる。
【００５６】
図１５は、基板５１（片面基板）の部品面（図１７の半田面の反対側の面）を見ているが、ここでは、図が複雑になるので、その他の電子部品５６は図示を省略している。
【００５７】
図１５に示すように、基板５１の外周縁の近傍に、発光部１０のランプリード線が接続されるピン５２が４本立設している。図１７では、そのうちの２本が見えている（他の２本は見えている２本のピン５２に隠れている）。
【００５８】
また、図１５に示すように、基板５１の外周縁の近傍に、基板５１と口金４０とを電気的に接続する一対の基板リード線５４がハウジング３０側に引き出されている（図１７では見えていない）。図１６に示す基板リード線５４は、半田面で半田付けされる基板リード線５４の基板５１側端部を示している。
【００５９】
図１６、図１７に示すように、電子部品５３（例えば、チョークコイル等で、後述するように接着剤を介してハウジング３０から放熱される）は、挿入型部品であり、そのリード線５３ａ（例えば、３本）が基板５１の穴を貫通して、半田面側に引き出され、半田面に半田付される。そのため、面実装の部品に比べて基板５１を貫通した３本のリード線５３ａが基板５１に半田付けされ、電子部品５３と基板５１が、３本のリード線５３ａを有する部品により強固に固定されることにより、ハウジング３０とプレート２０がより強固に固定される。尚、電子部品５３のリード線５３ａは、少なくとも３本とする。
【００６０】
半田面には、面実装の電子部品が実装されるが、図１７ではそれらの面実装の電子部品は、スイッチング素子５５以外の図示を省略している。図１６に、面実装の電子部品の一つであるスイッチング素子５５（トランジスタ、ＦＥＴ（電界効果トランジスタ）等のスイッチング素子）を示す。スイッチング素子５５は、インバータ部５０の電子部品の中で、最も温度が高くなるとともに、耐熱裕度の少ない電子部品である。且つ発光部１０の熱の影響を受ける位置（発光部１０の電極側端部と近接してプレート２０内にある）にあるので、温度上昇が抑制されるように冷却されるのが好ましい。そこで、スイッチング素子５５を、電子部品５３（例えば、チョークコイル等で、後述するように接着剤を介してハウジング３０から放熱される）と基板５１を間にして、対向するように配置している。さらに、スイッチング素子５５が、電子部品５３の基台面積部の内側の範囲に配置されるのが、より好ましい。
【００６１】
図１８、図１９は実施の形態１を示す図で、図１８は発光部１０が固定されたプレート２０にインバータ部５０を取り付けた状態を示す縦断面図、図１９は発光部１０が固定されたプレート２０にインバータ部５０を取り付けた状態を示す平面図（インバータ部５０を見る）である。
【００６２】
発光部１０が固定されたプレート２０に、インバータ部５０が取り付けられる。先ずプレート２０のハウジング３０側端部の内周に形成されているプレート内周凸部２０ｄ−１（図４、図１９）の下に、基板５１のピン５２が設けられている端部と反対側の端部（図１９では左側）を潜り込ませる。さらに、プレート２０の６個の突出部２０ｂの一つに、基板５１の切欠き５７を嵌める。
【００６３】
次に、発光部１０の４本のランプリード線１０ｃ（図１４）を基板５１に設けられる４本のピン５２（例えば、錫メッキ銅）に巻き付ける。このラッピングにより、インバータ部５０の基板５１とプレート２０とは、さらに固定される。
【００６４】
このように、インバータ部５０とプレート２０とは、嵌合（係合）とラッピングにより、確実に固定されることになる。
【００６５】
図２０、図２１は実施の形態１を示す図で、図２０は図１８にハウジング３０を取り付けた状態を示す縦断面図、図２１は図２０のＢ部拡大図である。
【００６６】
次に、プレート２０にハウジング３０を取り付ける。先ずハウジング３０の２個の位置決め用リブ３０ｃ（図８）をプレート２０の２個の位置決め用溝２０ｅに挿入する。このとき、同時にハウジング３０の４個の凸部３０ｄ（図８）をプレート２０の４個の係合穴２０ｃ（図６）に嵌める。
【００６７】
プレート２０とハウジング３０とは、ハウジング３０の４個の凸部３０ｄとプレート２０の４個の係合穴２０ｃとの嵌合により固定される。
【００６８】
また、インバータ部５０は、インバータ部５０の電子部品５３（例えば、チョークコイル等）がハウジング３０に近接するレイアウトとする。さらに、ハウジング３０と電子部品５３との間に接着剤６０（例えば、シリコン）を充填する。
【００６９】
ハウジング３０と電子部品５３との間に接着剤６０（例えば、シリコン）を充填することにより、電子部品５３の温度上昇が抑制される。
【００７０】
また、電子部品５３と基板５１を間にして、発熱性の電子部品であり、且つ発光部１０の熱の影響を受ける位置に設けられるスイッチング素子５５を、対向するように配置している。これにより、スイッチング素子５５の温度上昇も抑制される。
【００７１】
ハウジング３０と電子部品５３とは、接着剤６０により固定される。電子部品５３は、そのリード線が基板５１を貫通して半田面（図１７）で基板５１のパターンに半田付けされる。基板５１は、前述したように、嵌合とラッピングによりプレート２０に固定されているので、ハウジング３０は、ハウジング３０→接着剤６０→電子部品５３→基板５１→プレート２０の結合によってもプレート２０に固定されることになる。
【００７２】
プレート２０とハウジング３０とは、以下に示す二つの方法で固定されることになる。
（１）ハウジング３０の４個の凸部３０ｄとプレート２０の４個の係合穴２０ｃとの嵌合；
（２）ハウジング３０→接着剤６０→一つの電子部品５３→基板５１→プレート２０の結合。
【００７３】
次に、ハウジング３０の段差部３０ｅの作用について説明する。ハウジング３０に段差部３０ｅを設けることにより、次のような効果がある。
（１）ハウジング３０と電子部品５３とを接着する接着剤６０の使用量を低減できる。ハウジング３０のテーパ部３０ｆ、段差部３０ｅ、電子部品５３とで形成される空間に接着剤６０が充填されるが、この空間は段差部３０ｅがあることにより、段差部３０ｅがない場合に比べて体積が減る。その分、接着剤６０の使用量を減らすことができる。
（２）電球形蛍光ランプ１００を照明器具に装着する場合に、ハウジング３０に段差部３０ｅがあると、照明器具とハウジング３０との干渉を段差部３０ｅがない場合に比べて減らすことができ、照明器具への装着性が向上する。
【００７４】
図２２は実施の形態１を示す図で、照明装置２００の構成図である。照明装置２００は、本実施の形態の電球形蛍光ランプ１００を、白熱電球用の照明器具２０１のソケット２０２に装着して使用することができる。本実施の形態の電球形蛍光ランプ１００を使用することにより、ランプの寿命が長くなり、ランプ交換の手間を減らすことができる。
【符号の説明】
【００７５】
１０  発光部、１０ａ  Ｕ字管、１０ｂ  接合部、１０ｃ  ランプリード線、１０ｄ  接着剤、２０  プレート、２０ａ  穴部、２０ｂ  突出部、２０ｂ−１  基板載置面、２０ｃ  係合穴、２０ｄ  リブ、２０ｄ−１  プレート内周凸部、２０ｅ  位置決め用溝、２１  接着剤、３０  ハウジング、３０ａ  インバータ部収納部、３０ｂ  口金嵌合部、３０ｃ  位置決め用リブ、３０ｃ−１  位置決め用リブ段差部、３０ｄ  凸部、３０ｅ  段差部、３０ｆ  テーパ部、４０  口金、５０  インバータ部、５１  基板、５２  ピン、５３  電子部品、５３ａ  リード線、５４  基板リード線、５５  スイッチング素子、５６  電子部品、６０  接着剤、１００  電球形蛍光ランプ、２００  照明装置、２０１  照明器具、２０２  ソケット。
【図１】
0005595801.tif 000002
【図２】
0005595801.tif 000003
【図３】
0005595801.tif 000004
【図４】
0005595801.tif 000005
【図５】
0005595801.tif 000006
【図６】
0005595801.tif 000007
【図７】
0005595801.tif 000008
【図８】
0005595801.tif 000009
【図９】
0005595801.tif 000010
【図１０】
0005595801.tif 000011
【図１１】
0005595801.tif 000012
【図１２】
0005595801.tif 000013
【図１３】
0005595801.tif 000014
【図１４】
0005595801.tif 000015
【図１５】
0005595801.tif 000016
【図１６】
0005595801.tif 000017
【図１７】
0005595801.tif 000018
【図１８】
0005595801.tif 000019
【図１９】
0005595801.tif 000020
【図２０】
0005595801.tif 000021
【図２１】
0005595801.tif 000022
【図２２】
0005595801.tif 000023